(57)【要約】【課題】  テレビ放送を見やすくできるようにする。【解決手段】  携帯端末と前記携帯端末が指定した機器とから構成されている携帯端末システムであって、前記携帯端末は、テレビ受像用チューナを備えたテレビ受像手段と、テレビ放送を受信するデータ送受信手段と、電話及びメールを送受信する送受信手段と、前記指定した機器へ、前記テレビ放送の受信、録画、転送または送信の指示を出す指示手段とを有し、前記指示手段は、前記テレビ放送が受信できない場合に、前記指定した機器へ指示を出すことを特徴とする携帯端末システム等、を提供する。【選択図】  図１
2007081725.tif 000002
【特許請求の範囲】
【請求項１】
携帯端末と前記携帯端末が指定した機器とから構成されている携帯端末システムであって、
前記携帯端末は、テレビ受像用チューナを備えたテレビ受像手段と、テレビ放送を受信するデータ送受信手段と、電話及びメールを送受信する送受信手段と、前記指定した機器へ、前記テレビ放送の受信、録画、転送または送信の指示を出す指示手段とを有し、
前記指示手段は、前記テレビ放送が受信できない場合に、前記指定した機器へ指示を出すことを特徴とする携帯端末システム。
【請求項２】
前記テレビ放送が受信できない場合は、前記テレビ放送の電波の状況が悪い場合、メールの受信における受信メール表示の対処作業を行っている場合、または電話着信及びテレビ電話着信に対する電話応答による対処作業を行っている場合であることを特徴とする請求項１に記載の携帯端末システム。
【請求項３】
携帯端末と前記携帯端末が指定した機器とから構成されている携帯端末システムであって、
前記携帯端末は、テレビ受像用チューナを備えたテレビ受像手段と、テレビ放送を受信するデータ送受信手段と、電話及びメールを送受信する送受信手段と、前記指定した機器へ、前記テレビ放送の受信、録画、転送または送信の指示を出す指示手段とを有し、
前記指示手段は、前記テレビ放送の受信を開始する時に、前記指定した機器へ指示を出すことを特徴とする携帯端末システム。
【請求項４】
携帯端末と前記携帯端末が指定した機器とから構成されている携帯端末システムであって、
前記携帯端末は、テレビ受像用チューナを備えたテレビ受像手段と、テレビ放送を受信するデータ送受信手段と、電話やメールを送受信する送受信手段と、前記指定した機器へ、前記テレビ放送の受信、録画、転送または送信の指示を出す指示手段とを有し、
前記指示手段は、前記テレビ放送の受信を開始する時に、前記電話やメールの受信を受けることによって、前記指定した機器へ指示を出すことを特徴とする携帯端末システム。
【請求項５】
前記指示手段は、前記テレビ放送が受信可能となった場合に、前記指定した機器へデータを送信するように指示を出し、
前記テレビ受像手段は、前記データ送受信手段が前記データを受信することによって、前記テレビ放送を見ることができる状態にすることを特徴とする請求項１〜４の何れか１項に記載の携帯端末システム。
【請求項６】
データを編集するデータ編集手段と、
前記データの短縮時間を検知するデータ短縮時間検知手段とを有し、
前記データ送受信手段が前記データを受信することによって、前記テレビ放送を受像し始めた後、前記データ編集手段及びデータ短縮時間検知手段により、前記テレビ放送の時間に追いついた事を検知した時点で、データ転送からテレビ受信へと切り替える切替手段を有することを特徴とする請求項５に記載の携帯端末システム。
【請求項７】
スケジュールを連動するスケジュール連動手段を有し、
前記指示手段は、前記スケジュール連動手段が前記スケジュールに連動してテレビ受信を行っている際、前記データを受信した場合、前記指定した機器へデータの転送、印刷または表示を行うように指示することを特徴とする請求項１〜４の何れか１項に記載の携帯端末システム。
【請求項８】
携帯端末と前記携帯端末が指定した機器とから構成されている携帯端末システムであって、
前記携帯端末は、前記指定した機器へ、テレビ放送の受信、録画、転送または送信の指示を出す指示手段を有し、
前記指定した機器へ指示を出した後、前記テレビ放送が受信できない状況がなかった場合において、指示した設定を解除、データをすぐまたは一定時間後に消去する消去手段を有することを特徴とする携帯端末システム。
【発明の詳細な説明】
【技術分野】
【０００１】
本発明は、デジタルテレビ放送信号の受信と、テレビ電話やメール等無線信号の送受信の双方が可能な、携帯端末システムに関するものである。
【背景技術】
【０００２】
携帯電話機は急速に普及し、音楽配信や画像（静止画・動画）の配信のみならず、その端末に内蔵されているデジタルカメラより、リアルタイムな画像を見ながら電話できる「テレビ電話機能付き機器」の割合も増えてきている。更に、携帯端末向けの地上デジタル放送も近年開始される予定である事や、料金の定額設定や格安設定の激化により、ますます、携帯電話でのテレビ受信の開発や、超小型テレビの需要は増加すると考えられる。
【０００３】
特許文献１は、受像時に通話/データ伝送着信があると、チューナ出力をメモリに接続及び記録指示し、データを記録するという内容である。受信機が通話・データ伝送着信があった場合においても、テレビを見逃すことがないよう、受信機内に記録し、後から見る事を可能にしている。また、デジタルテレビ放送の記録をデジタル信号で記録再生することにより、記録するデータ量を大幅に削減できるという特徴もある。
【０００４】
【特許文献１】特開２００３−３４８５１０号公報
【発明の開示】
【発明が解決しようとする課題】
【０００５】
しかしながら、前記従来技術では、どんなにデータを大幅に削減できたとしても記録容量に限界があるという問題がある。つまり、今後のデジタル放送において、高画質放送が受信できるようになると考えられる中、番組全てを保存できる記録容量の空きが受信機器にあるとも限らない。
【０００６】
更に、前記従来技術では、受信機がデータ受信できることが前提となっており、受信機がデータ受信できない場合は、データ受信が途切れてしまう等の問題や、受信機において、通話がすぐ終わった場合、テレビ放送をすぐ見ることができないという問題があった。
【０００７】
本発明は前述の問題点にかんがみ、テレビ放送を見やすくできるようにすることを目的としている。
【課題を解決するための手段】
【０００８】
本発明は、携帯端末と前記携帯端末が指定した機器とから構成されている携帯端末システムであって、前記携帯端末は、テレビ受像用チューナを備えたテレビ受像手段と、テレビ放送を受信するデータ送受信手段と、電話及びメールを送受信する送受信手段と、前記指定した機器へ、前記テレビ放送の受信、録画、転送または送信の指示を出す指示手段とを有し、前記指示手段は、前記テレビ放送が受信できない場合に、前記指定した機器へ指示を出すことを特徴とする携帯端末システム等、を提供する。
【発明の効果】
【０００９】
本発明によれば、テレビ受信中に、電波状況の悪化、メール受信のチェックやテレビ電話を取るが必要になる等、なんらかの事情でテレビ受信ができなくなった場合またはテレビ受信開始時に、その他の機器又はサーバーへデータ受信（録画・予約）指示を出す事でデータを逃すことなく受信できる。
【００１０】
更に、通話終了後に、依頼した機器から広告等をカットし送信する設定をする事で、依頼者が受像を中断した時間分が短縮できる。更に又は、時間短縮が終了した時点でその旨を通知又は検知することで、携帯端末から直接テレビ受信に切り替えることができる。
【００１１】
更には、スケジュールと連動する事で、タイムリーに見たいテレビを受信中にメールを着信した場合には、テレビ放送を邪魔する事がないよう、メールを印刷する又はその他の表示機で確認する等の設定も可能となる。
【発明を実施するための最良の形態】
【００１２】
（第１の実施の形態）
図１に、本実施の形態の携帯端末機器の機能構成のブロック図を示す。
本実施の形態において、テレビ放送受像関連部１については、テレビチャンネルを合わせるチャンネル選択手段２がある。これは、携帯端末機器毎に設定されるKey（十字Key、ボタン、スクロール等）でかまわない。
【００１３】
テレビ放送受信手段３は、チューナ、アンテナ等である。これにより、地上波デジタル放送やアナログ放送等を見ることが可能となる。また、スケジュール連動受信手段４を持つことにより、予め予約しておいた時間になると、テレビを見ることも可能となる。また、電波状況検知手段５を持つことで、本体にその他の機器への指示を促すことが可能となる。
【００１４】
送受信関連部６として、データ送受信手段７、電話送受信手段８、設定したその他の機器（家のＰＣやサーバー）へ指示する為のデータを作成する指示データ編集手段９、及び指示先登録手段１０を持つ。また、送受信連動指示手段１１を持つことで、電話を受け取る前に、指示データを作成し、送信した後に、電話を受け取ることが可能となる。
【００１５】
また、データ圧縮・解凍手段１２により、その後、その他の機器より、圧縮されたデータを受け取り、解凍し見ることが可能となる。また、データ送受信の電波状態検知手段１３によって、データ送受信の電波が切れる前にデータ送る又は、電波が接続された時に送信する事も可能となる。
【００１６】
時間・電波関連部１４として、直接テレビ電波を受け取るか又はその他の機器からのデータ転送にするかの電波切り替え手段１５を持つことで、電波状況にあわせテレビを見ることが可能となる。
【００１７】
また、中断開始時間記憶手段１６、中断総合時間記憶手段１７、中断総合時間・短縮時間比較手段１８、時間入手手段１９及び時間設定手段２０を有する。これにより、テレビを見ている時、電話着信により、どうしても電話を取らなくてはいけなくなった時、中断が開始された時間を記憶する。そして、電話を切った時点で、中断された時間からのテレビ放送を、その他の機器より転送してもらい、テレビ放送を逃すことなく見ることが可能となる。
【００１８】
また、総合時間・短縮時間を比較することにより、ＣＭカット等でテレビ放送を短縮できた場合においては、短縮時間によりテレビ放送時間に追いついたと判断された場合に、直接テレビ放送受信へと切り替え、再びタイムリーにテレビを見始めることが可能となる。
【００１９】
個人設定関連部２１として、個人データ登録手段２２及び個人認証手段２３により、スケジュール等の見られたくないデータを他人に見られないようにすることが可能となる。また、スケジュール参照手段２４及びスケジュール登録手段２５により、予め見たいテレビを登録しておくことで、自動的にテレビを受信することが可能となる。
【００２０】
また、その他のスケジュール（会議等）を設定しておくことで、その時間前に見始めたテレビをスケジュールがはじまる前（例えば３０分前）からその他の機器へ、録画予約を支持する。これにより、会議等のスケジュールがはじまることで見れなくなった場合においても、後から続きを見ることが可能となる。また、ＧＰＳ等と連動することで、高速のトンネル等や電波状況を予測し、電波状況が悪くなる前に指示を出すことも可能といえる。
【００２１】
その他、音声出力手段２６、撮影手段２７、表示手段２８、時間短縮手段２９、記憶手段３０を備えている。これらの他にも、その他の手段を加えることで、より確実にテレビ放送途切れなく見ることが可能になる。また、もちろん、これらの手段が全て含まれていなくても、最小限の手段により実現することも可能である。
【００２２】
図中に、電波状態検知手段を２つ設けたが、もちろん、１つであってもかまわないし、それ以上の数があってもかまわないものとする。また、記憶手段についても同様に１つでもかまわないし、それ以上でもかまわないものとする。また、ＲＯＭからプログラムを呼び出し、作業を行うが、本システムプログラムは、ＲＯＭ上でなくてもよいものとする。
【００２３】
本実施の形態についてはフローチャートを用いて説明する。
図２に本発明の概略フローチャートを示す。
携帯端末機器において、電源を入れ、チャンネルを選択し、テレビ受像表示開始する（ステップＳ１）。その後、電波状況が良好であるかの判断を行う（ステップＳ２）。
【００２４】
電波状況が良好の間は、そのままテレビを受信し直接見る。電波状況が良好でなくなった場合、テレビ受信（録画・転送）の指示を、その他の機器（本実施の形態では、家のＰＣとする）に、指示を出す（ステップＳ３）。この指示により、家のＰＣはテレビ放送受信しはじめる。携帯機器がデータ受信可能であるか判断し（ステップＳ４）、データ受信可能の場合は、家のＰＣからデータを受信することで、テレビ放送をデータ転送という形式で、見続けることが可能となる（ステップＳ５）。
【００２５】
ステップＳ３でテレビ受信としたが、もちろん、録画や転送指示でもかまわない。また、ステップＳ４において、受信可能かの判断をおこなったが、データ受信が不可能であった場合、図２のフローチャートのように受信可能になるまで待ってもかまわないし、一度抜け出し、ある時間になって受信可能かチェックしてもかまわないし、携帯機器から、送信指示が来た際に、データを送信してもかまわない。
【００２６】
また、ステップＳ２において、電波状況が良好かを判断したが、ステップＳ１でテレビ放送を見始ると同時に、家のＰＣへ録画指示を出しておくことで、テレビ放送の電波が悪くなったときに、自動的に家のＰＣからのデータ転送に切り替えることも可能である。
【００２７】
更に、ＧＰＳデータ等と連動することで、移動中の電波状況をあらかじめ予測し、指示を出すことも可能である。また、テレビを実際に見ることができた場合には、家のＰＣの録画データを自動的に消去することも可能であるし、また、ある一定時間保存した後、消去することも可能である。
【００２８】
図３〜６にテレビ放送受信時における説明図を示し、説明する。本実施の形態では、テレビ放送側と本発明機能付き携帯端末を持つユーザと、家のＰＣの関係図の例をあげ、説明する。図３は、本実施の形態において、テレビ放送を受信する概略（電話がかかってきたとき）を説明する図である。図４は、本実施の形態において、テレビ放送を受信する概略（電話が終了したとき）を説明する図である。
【００２９】
テレビ放送の番組を選択することで、テレビ放送側から出力されている電波をキャッチし、携帯機器の表示機に映し出し、テレビを見ることができる。このテレビ受信中に、電話がかかってきた場合、従来、テレビ放送を見るのを中断しなければならなかった。
【００３０】
本実施の形態では、電話がかかった時点で、家のＰＣへテレビ放送受信依頼を出し、ＰＣがテレビ放送受信要求（選択・予約）を行い、テレビ受信を開始することで、ユーザーが持つ携帯端末の変わりに、テレビ放送を受信しはじめる。テレビ放送受信依頼手続きが完了されたことを検知した後、ユーザーは、かかってきた電話を取る。
【００３１】
この作業により、電話で話しはじめた時からのテレビ放送をＰＣに保存ができる。そして、図４のように、電話が終わりテレビの続きを見たいと思った時点で、テレビ放送送信依頼を家のＰＣへ出し、テレビ放送をＰＣより送信してもらうことで、中断された時点からのテレビを見始めることが可能となる。ここで、完了通知を待たなくてもよいものとする。
【００３２】
次に、図３，４で示した例を実際のタイミングで説明する。
20時からはじまるテレビ放送（２時間ドラマ）を見るとする。時間になるとテレビ放送を直接受信し、テレビを見始める。21:00〜21:20の間、なんらなかの要因（電波状況が悪い、電話がかかった、急用ができた等）により、テレビが見れなくなったとする。この見れなくなった時点で家のＰＣに依頼を出し、それをうけたＰＣがテレビ放送を録画しはじめる。21:20にユーザがテレビを見れる状況になり、送信依頼を出すことで、ＰＣからテレビ録画したデータを送信してもらい、テレビの続きを見始めることが可能となる。この例では、時間短縮をしなかった場合を示している為、ユーザがこのドラマを見終わるのは、通常22時であったものが、見れなかった時間20分の為、22:20に見終わることとなる。
【００３３】
次に、図５及び図６で、図３、４で示した例とは違い、時間短縮が行えた場合で説明する。
データを送信する際、家のＰＣ側又は携帯端末側で、ＣＭカット等を行い時間短縮をすることも可能である。この場合、時間短縮ができた時間がテレビを見れなかった時間（20分）になったと検知された場合、その旨をユーザに知らせる。
【００３４】
ユーザが追いついたことを検知したら、現在のＰＣからのデータ転送によるテレビ番組表示から、通常のテレビ放送からの受信へと切り替えることができる。そして、元の、テレビ電波を直接受信し、テレビ放送をタイムリーに見ることが可能となる。この例の場合、21:50にテレビ放送に追いついたと検知された為、21:50からは、テレビ放送を直接受信するものに切り替えられる。
【００３５】
また、図７では、テレビを見始めると同時に、家のＰＣへテレビ放送受信依頼をした例を示している。同様に、図８においては、その時のタイミングを示している。テレビを見はじめたと同時に、指定したその他の機器（家のＰＣ）へ録画を依頼する。こうすることにより、いつ電波が悪くなっても、電話がかかっても、すぐに出ることが可能となる。
【００３６】
図９では、スケジュールと連動した場合を示している。スケジュールでテレビ放送を予約しておいた場合、予め、その他の機器へも録画予約をしておく。このことにより、全図と同様に、テレビを見逃すことがなくなる。
【００３７】
図１０においては、図９と同様スケジュールと連動した場合の例である。ここでは、スケジュールに優先順位等を設定することで、テレビ放送中に受信したメールは、自動的に印刷される又はその他の機器で表示される等の処理が可能となる。これにより、見逃したくない・邪魔されたくないテレビ放送を中断されることを防ぐことが可能となる。
【００３８】
（本発明に係る他の実施の形態）
前述した本発明の実施の形態におけるシステムは、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００３９】
また、本発明は、例えば、システム、装置、方法、プログラムもしくは記録媒体等としての実施の形態も可能であり、具体的には、複数の機器から構成されるシステムに適用してもよいし、また、一つの機器からなる装置に適用してもよい。
【００４０】
なお、本発明は、前述した実施の形態の機能を実現するソフトウェアのプログラム（実施の形態では図２に示すフローチャートに対応したプログラム）を、システムまたは装置に直接、または遠隔から供給し、そのシステムまたは装置のコンピュータが前記供給されたプログラムコードを読み出して実行することによっても達成される場合を含む。
【００４１】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００４２】
その場合、プログラムの機能を有していれば、オブジェクトコード、インタプリタにより実行されるプログラム、ＯＳに供給するスクリプトデータ等の形態であってもよい。
【００４３】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などがある。
【００４４】
その他、プログラムの供給方法としては、クライアントコンピュータのブラウザを用いてインターネットのホームページに接続し、前記ホームページから本発明のコンピュータプログラムそのもの、もしくは圧縮され自動インストール機能を含むファイルをハードディスク等の記録媒体にダウンロードすることによっても供給できる。
【００４５】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００４６】
また、本発明のプログラムを暗号化してＣＤ−ＲＯＭ等の記録媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００４７】
また、コンピュータが、読み出したプログラムを実行することによって、前述した実施の形態の機能が実現される他、そのプログラムの指示に基づき、コンピュータ上で稼動しているＯＳなどが、実際の処理の一部または全部を行い、その処理によっても前述した実施の形態の機能が実現され得る。
【００４８】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行い、その処理によっても前述した実施の形態の機能が実現される。
【図面の簡単な説明】
【００４９】
【図１】本実施の形態における携帯端末機器の機能構成のブロック図を示す図である。
【図２】本実施の形態における携帯端末システムの処理手順を示すフローチャートである。
【図３】本実施の形態において、テレビ放送を受信する概略（電話がかかってきたとき）を説明する図である。
【図４】本実施の形態において、テレビ放送を受信する概略（電話が終了したとき）を説明する図である。
【図５】本実施の形態において、時間短縮してテレビ放送を受信する概略を説明する図である。
【図６】本実施の形態において、時間短縮してテレビ放送を受信する概略を説明する図である。
【図７】テレビを見始めると同時に、家のＰＣへテレビ放送受信依頼をした例を示す図である。
【図８】テレビを見始めると同時に、家のＰＣへテレビ放送受信依頼をした例のタイミングを示す図である。
【図９】スケジュールと連動した場合を説明する図である。
【図１０】ここでは、スケジュールに優先順位等を設定してスケジュールと連動した場合を説明する図である。
【符号の説明】
【００５０】
１  テレビ放送受像関連部
２  チャンネル選択手段
３  テレビ放送受信手段
４  スケジュール連動受信手段
５  電波状態検知手段
６  送受信関連部
７  データ送受信手段
８  電話送受信手段
９  指示データ編集手段
１０  指示先登録手段
１１  送受信連動手段
１２  データ圧縮・解凍手段
１３  電波状態検知手段
１４  時間・電波関連部
１５  電波切り替え手段
１６  中断開始時間記憶手段
１７  中断総合時間記憶手段
１８  中断総合時間・短縮時間比較手段
１９  時間入手手段
２０  時間設定手段
２１  個人設定関連部
２２  個人データ登録手段
２３  個人認証手段
２４  スケジュール参照手段
２５  スケジュール登録手段
２６  音声出力手段
２７  撮影手段
２８  表示手段
２９  時間短縮手段
３０  記憶手段
【図１】
2007081725.tif 000003
【図２】
2007081725.tif 000004
【図３】
2007081725.tif 000005
【図４】
2007081725.tif 000006
【図５】
2007081725.tif 000007
【図６】
2007081725.tif 000008
【図７】
2007081725.tif 000009
【図８】
2007081725.tif 000010
【図９】
2007081725.tif 000011
【図１０】
2007081725.tif 000012